(57)【特許請求の範囲】
【請求項１】
表示画面上でタッチ操作された位置を検出するタッチ表示部を備えたタッチ表示装置であって、
第１タッチ状態と第２タッチ状態との切り替えを行う切替手段と、
前記第１タッチ状態においては、前記表示画面上での各位置におけるタッチ操作を検出してそのタッチ操作に応じた処理を行う第1タッチ制御手段と、
前記表示画面上に表示される表示内容の表示領域の内で、表示内容の確認に支障のない部分表示領域を抽出する抽出手段と、
前記第１タッチ状態において前記第２タッチ状態への切り替えが指示された際は、その時点で前記表示画面上に表示される表示内容を対象に前記抽出手段で抽出された部分表示領域に、その部分表示領域に対するタッチ操作のみを有効とするタッチパッド領域を表示する第２タッチ状態へ切替制御する第２タッチ制御手段と、
を備えたことを特徴とするタッチ表示装置。
【請求項２】
前記タッチパッド領域を表示する前記第２タッチ状態において、前記表示画面上に表示される表示内容の変更が行われた際は、その変更された表示内容を対象に前記抽出手段により新たな部分表示領域を抽出させ、その新たに抽出された部分表示領域に対するタッチ操作のみを有効とするタッチパッド領域に変更表示する変更制御手段と、
を備えたことを特徴とする請求項１に記載のタッチ表示装置。
【請求項３】
前記タッチパッド領域を表示する前記第２タッチ状態において、前記第１タッチ状態への戻し切り替えが指示された際は、前記表示画面上に表示される前記表示内容の内で前記部分表示領域に表示される前記タッチパッド領域の表示を消去し、当該表示画面上での各位置におけるタッチ操作を有効とさせる前記第１タッチ状態へ復帰制御する復帰制御手段と、
を備えたことを特徴とする請求項１又は２に記載のタッチ表示装置。
【請求項４】
前記タッチパッド領域を表示する前記第２タッチ状態において、当該タッチパッド領域に対する所定時間以上のタッチ指示操作が行われなかった際に、前記表示画面上に表示される前記表示内容の内で前記部分表示領域に表示される前記タッチパッド領域の表示を消去し、当該表示画面上での各位置におけるタッチ操作を有効とさせる前記第１タッチ状態へ復帰制御する自動復帰制御手段と、
を備えたことを特徴とする請求項１〜３のいずれかに記載のタッチ表示装置。
【請求項５】
前記第２タッチ制御手段は、前記第２タッチ状態への切り替えで前記タッチパッド領域を表示させる際は、そのタッチパッド領域内でのタッチ移動操作に呼応して前記表示画面上の表示内容の各表示位置を指示可能なポイントも合わせて表示させる、
ことを特徴とする請求項１〜４のいずれかに記載のタッチ表示装置。
【請求項６】
前記抽出手段は、前記表示画面上の表示内容の表示領域の内で、データが表示されていない空き領域を、前記表示内容の確認に支障のない部分表示領域として抽出する、
ことを特徴とする請求項１〜５のいずれかに記載のタッチ表示装置。
【請求項７】
表示画面上でタッチ操作された位置を検出するタッチ表示部を備えたタッチ表示装置のコンピュータを制御するためのプログラムであって、
前記コンピュータを、
第１タッチ状態と第２タッチ状態との切り替えを行う切替手段、
前記第１タッチ状態においては、前記表示画面上での各位置におけるタッチ操作を検出してそのタッチ操作に応じた処理を行う第1タッチ制御手段、
前記表示画面上に表示される表示内容の表示領域の内で、表示内容の確認に支障のない部分表示領域を抽出する抽出手段、
前記第１タッチ状態において前記第２タッチ状態への切り替えが指示された際は、その時点で前記表示画面上に表示される表示内容を対象に前記抽出手段で抽出された部分表示領域に、その部分表示領域に対するタッチ操作のみを有効とするタッチパッド領域を表示する第２タッチ状態へ切替制御する第２タッチ制御手段、
として機能させるようにしたコンピュータ読み取り可能なプログラム。
【発明の詳細な説明】
【技術分野】
【０００１】
本発明は、表示画面上でタッチ操作された位置を検出するタッチ表示部を備えたタッチ表示装置及びプログラムに関する。
【背景技術】
【０００２】
従来、タッチパネル付きの大型タッチ表示部、例えば、筐体の表面略全体をタッチスクリーンとする携帯端末装置においては、例えば、ターゲットとなるオブジェクト（例えば、アイコン、リンク情報など）を移動したり、選択したりする際に、指やペンをオブジェクトの表示位置まで実際に移動するようにしているため、視覚的・操作的に非常に分かり易く便利である反面、片手操作を行う場合などでは、使い難いものとなっていた。すなわち、片手操作では、大きな範囲や手の自由が利かないような場面で指やペンをスムーズに動かすことが困難な場合が多く、使い難いものとなっていた。
【０００３】
ところで、従来では、表示画面上においてソフトウェアキーボードが表示された領域以外の所定の領域を当該ソフトウェアキーボードの操作が可能なタッチパッド領域に設定することにより、タッチパッド領域でのタッチ操作を、ソフトウェアキーボード上でのキー操作に関連付けるようにした技術が提案されている（特許文献１参照）。
【先行技術文献】
【特許文献】
【０００４】
【特許文献１】特開２０１０−８６０６４号公報
【発明の概要】
【発明が解決しようとする課題】
【０００５】
しかしながら、上述した技術（特許文献１の技術）にあっては、タッチパッド領域上でのタッチ操作によりソフトウェアキーボードを操作することができるが、片手操作では、タッチパッド領域上でタッチ操作を行っている間、ソフトウェアキーボードにも指やペンなどがタッチしてしまうこともあり、誤操作などの原因にもなる。
【０００６】
本発明の課題は、タッチ表示部にタッチパッド領域を必要に応じて表示させることができ、そしてそのタッチパッド領域を表示させた状態での誤操作を効果的に抑制できるようにすることである。
【課題を解決するための手段】
【０００７】
請求項１は、表示画面上でタッチ操作された位置を検出するタッチ表示部を備えたタッチ表示装置であって、第１タッチ状態と第２タッチ状態との切り替えを行う切替手段と、前記第１タッチ状態においては、前記表示画面上での各位置におけるタッチ操作を検出してそのタッチ操作に応じた処理を行う第1タッチ制御手段と、前記表示画面上に表示される表示内容の表示領域の内で、表示内容の確認に支障のない部分表示領域を抽出する抽出手段と、前記第１タッチ状態において前記第２タッチ状態への切り替えが指示された際は、その時点で前記表示画面上に表示される表示内容を対象に前記抽出手段で抽出された部分表示領域に、その部分表示領域に対するタッチ操作のみを有効とするタッチパッド領域を表示する第２タッチ状態へ切替制御する第２タッチ制御手段と、を備えたことを特徴とする。
【発明の効果】
【０００９】
本発明によれば、タッチ表示部にタッチパッド領域を必要に応じて表示させることができ、そしてそのタッチパッド領域を表示させた状態での誤操作を効果的に抑制できる。
【図面の簡単な説明】
【００１０】
【図１】在庫管理などに使用する携帯端末装置（ハンディターミナル）の基本的な構成要素を示したブロック図。
【図２】（１）は、タッチ表示部５の表示状態を示した図、（２）は、タッチ表示部５内の所定領域に割り当てられたタッチパッド領域ＴＰを示した図。
【図３】（１）〜（３）は、タッチ表示部５にタッチパッド領域ＴＰが割り当て表示された際に、このタッチパッド領域ＴＰの表示と共に表示されるタッチパッド用ポインタＰＴを示した図。
【図４】タッチパッド起動指示に応じて実行開始される動作（本実施形態の特徴的な動作）を説明するためのフローチャート。
【図５】図４の動作に続くフローチャート。
【発明を実施するための形態】
【００１１】
以下、図１〜図５を参照して本発明の実施形態を説明する。
図１は、在庫管理などに使用する携帯端末装置（ハンディターミナル）の基本的な構成要素を示したブロック図である。
携帯端末装置は、薄型直方体の筐体で、制御部（ＣＰＵ：中央演算処理装置を含む）１を中核として、電源部２、記憶部３、メモリ４、タッチ表示部５、操作部６、イメージスキャナ７、通信部８を有する構成となっている。制御部１は、電源部（二次電池）２からの電力供給によって動作し、記憶部３内の各種のプログラムに応じてこの携帯端末装置の全体動作を制御する。
【００１２】
記憶部３は、例えば、ＲＯＭ、フラッシュメモリなどを有する構成で、オペレーションシステム（ＯＳ）のほか、後述する図４及び図５に示した動作手順に応じて本実施形態を実現するためのプログラムや各種のアプリケーションなどが格納されている。なお、記憶部３は、例えば、ＳＤカード、ＩＣカードなど、着脱自在な可搬型メモリ（記録メディア）を含む構成であってもよく、図示しないが、通信機能を介してネットワークに接続された状態においては所定の外部サーバ側の記憶領域を含むものであってもよい。メモリ４は、計時情報、フラグ情報など、携帯端末装置が動作するために必要な各種の情報を一時的に記憶するワーク領域である。
【００１３】
タッチ表示部５は、薄型直方体の筐体の表面略全体に配置された大型のタッチ表示部である。このタッチ表示部５は、指やペンなどでタッチ操作された位置を検知してその座標データを入力するタッチ入力手段（タッチスクリーン）を構成するもので、表示パネル５ａとタッチパネル５ｂを有している。なお、タッチパネル５ｂとしては、静電容量方式、抵抗皮膜方式、電磁誘導方式、圧電方式などのいずれであってもよい。表示パネル５ａは、例えば、高精細液晶ディスプレイ又は有機ＥＬ（Electro Luminescence）ディスプレイで、ソフトウェアキーとしての機能名を表示するほか、オブジェクト（アイコン、リンクなど）を表示する。制御部１は、後述するが、タッチパッド領域の割り当て指示を受けた際に、タッチ表示部５の現在の表示状態を解析し、その表示状態に応じた所定領域内にタッチパッド領域を割り当てるようにしている。
【００１４】
操作部６は、図示省略したが、電源ボタンなどの押しボタン式の各種のキーを備えたもので、制御部１は、タッチ表示部５や操作部６からの入力操作信号に応じた処理を行う。イメージスキャナ７は、ＣＣＤやＣＭＯＳなどの画像センサ（イメージセンサ）によりコード情報を撮影するもので、制御部１は、イメージスキャナ７により撮影された画像データを解析することによってコード情報の読み取りを行う。通信部８は、無線ＬＡＮ（構内通信網）を介してホスト装置（図示省略）に接続されるもので、携帯端末装置との間ではデータの送受信を行う。
【００１５】
図２（１）は、タッチ表示部５の表示状態を示した図で、図中、ＳＰ１〜ＳＰ３は、所定大以上の空き領域を示している。すなわち、制御部１は、タッチ表示部５に表示されているデータの表示状態を解析し、その表示状態に基づいて、データが表示されていない所定大以上の領域が空き領域を特定するようにしている。なお、所定大以上の空き領域とは、例えば、タッチ表示部５の大きさの１／８以上のサイズであるが、これに限らないことは勿論である。図２（２）は、タッチ表示部５内の所定領域に割り当てられたタッチパッド領域ＴＰを示した図で、制御部１は、タッチパッド領域の割り当て指示を受けた際に、所定の空き領域内にタッチパッド領域ＴＰを割り当て表示するようにしている。
【００１６】
この場合、図２（１）に示した空き領域ＳＰ１〜ＳＰ３のうち、タッチ表示部５の縁部分又は縁部分の近くに存在している空き領域ＳＰ３を優先してタッチパッド領域ＴＰを割り当てるようにしている（図２（２）参照）。その際、この空き領域ＳＰ３の大きさに応じたサイズでタッチパッド領域ＴＰを割り当てるようにしている。例えば、本実施形態においては、空き領域ＳＰ３の大きさの範囲内において、タッチ表示部５の大きさの１／４以下のサイズのタッチパッド領域ＴＰを割り当て表示するようにしている。また、図中、タッチパッド領域ＴＰ内及びタッチ表示部５内に付した十字型の矢印は、タッチパッド領域ＴＰ内での操作がタッチ表示部５内のどの範囲を操作したものとなるかを示したものである。この場合、タッチパッド領域ＴＰ内の全範囲がタッチ表示部５の全範囲に相当するようになっている。
【００１７】
図３は、タッチ表示部５内にタッチパッド領域ＴＰが割り当て表示された際に、このタッチパッド領域ＴＰの表示と共に、タッチパッド領域ＴＰ内に表示されるタッチパッド用ポインタＰＴを示した図である。
図中、黒の三角マークは、タッチパッド用ポインタＰＴを示し、タッチパッド領域ＴＰの表示と共にその内部にポインタが表示される（図３（１）参照）。この場合、タッチパッド領域ＴＰ内でタッチ操作（スライド操作）が行われると、その移動方向にタッチパッド用ポインタＰＴが移動される（図３（２）参照）。更に、タッチパッド領域ＴＰ内でタッチ操作（スライド操作）が行われると、それに応じてタッチパッド用ポインタＰＴが移動される。図３（３）は、所望するオブジェクト（アイコンやリンクなど）の表示位置にタッチパッド用ポインタＰＴが達した状態を示し、この状態において、タッチパッド領域ＴＰ内で１回のタッチ操作（タップ操作）が行われたか、２回連続してタッチ操作（ダブルタップ操作）が行われたかに応じて当該オブジェクトを選択したり実行したりするようにしている。
【００１８】
次に、本実施形態における携帯端末装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
なお、図４及び図５は、携帯端末装置の全体動作のうち、本実施形態の特徴部分の動作概要を示したフローチャートであり、この図４及び図５のフローから抜けた際には、全体動作のメインフロー（図示省略）に戻る。
【００１９】
図４及び図５は、タッチパッド起動指示に応じて実行開始される動作（本実施形態の特徴的な動作）を説明するためのフローチャートである。すなわち、制御部１は、タッチ表示部５上で所定のタッチ操作が行われた際にタッチパッド領域ＴＰの起動が指示されたものとして、図４及び図５のフローを実行開始する。
先ず、タッチ表示部５上に表示されている現在の表示内容を解析して、その表示状態に応じて所定大以上の空き領域を特定する（ステップＳ１）。
【００２０】
そして、この空き領域をタッチパッド領域ＴＰの配置領域として特定するが、空き領域が複数ある場合には、その中からタッチ表示部５の縁部分又は縁部分の近くに存在している空き領域をタッチパッド領域ＴＰの配置領域として特定する（ステップＳ２）。この場合、図２（２）に示すように、タッチ表示部５の縁部分又は縁部分の近くに存在している空き領域ＳＰ３にタッチパッド領域ＴＰが割り当てられる。次に、上述のようにして特定した空き領域の大きさに基づいてタッチパッド領域ＴＰのサイズを特定する（ステップＳ３）。そして、特定した空き領域内に特定した大きさのタッチパッド領域ＴＰを割り当て配置させる（ステップＳ４）。更に、このタッチパッド領域ＴＰの配置表示に応じてこのタッチパッド領域ＴＰ内にポインタを配置表示させる（ステップＳ５）。更に、タッチ表示部５へのタッチ操作を無効、つまり、タッチ表示部５のうちタッチパッド領域ＴＰを除く他の全ての領域へのタッチ操作を無効する処理を行う（ステップＳ６）。
【００２１】
この状態において、タッチパッド領域ＴＰ上でタッチ操作が行われたときには（ステップＳ７でＹＥＳ）、タッチ操作の種類として、スライド操作が行われたか、タップ操作が行われたか、ダブルタップ操作が行われたかを判別する（ステップＳ８）。いま、スライド操作が行われたときには（ステップＳ８）、そのスライド方向及びスライド量を検出し（ステップＳ９）、そのスライド方向及びスライド量に応じてタッチパッド用ポインタＰＴを移動表示させる（ステップＳ１０）。この場合、タッチパッド用ポインタＰＴは、タッチパッド領域ＴＰ内に限らず、スライド方向及びスライド量に応じてそのタッチパッド領域ＴＰの外側に移動表示される。その後、無操作時間を計測する無操作時間タイマ（図示省略）をリセットスタートさせた後（ステップＳ１１）、上述のステップＳ７に戻る。
【００２２】
また、タッチパッド領域ＴＰ上においてタップ操作が行われたときには（ステップＳ８）、ステップＳ１２に移り、タッチ表示部５においてタッチパッド領域ＴＰ以外の領域に表示されているタッチパッド用ポインタＰＴの位置にオブジェクトが表示されているかを調べ、オブジェクトが表示されていなければ（ステップＳ１２でＮＯ）、今回のタップ操作を無効とするために、上述のステップＳ７に移る。また、タッチパッド用ポインタＰＴの位置にオブジェクトが表示されていれば（ステップＳ１２でＹＥＳ）、そのオブジェクトを処理対象として選択する（ステップＳ１３）。そして、無操作時間タイマ（図示省略）をリセットスタートさせた後（ステップＳ１１）、上述のステップＳ７に戻る。
【００２３】
タッチパッド領域ＴＰ上でダブルタップ操作が行われたときには（ステップＳ８）、ステップＳ１４に移り、タッチ表示部５においてタッチパッド領域ＴＰ以外の領域に表示されているタッチパッド用ポインタＰＴの位置にオブジェクトが表示されているかを調べ、オブジェクトが表示されていなければ（ステップＳ１４でＮＯ）、今回のダブルタップ操作を無効とするために、上述のステップＳ７に移る。また、タッチパッド用ポインタＰＴの位置にオブジェクトが表示されていれば（ステップＳ１４でＹＥＳ）、例えば、アイコン、リンクなどオブジェクトに応じた処理を実行する（ステップＳ１５）。そして、無操作時間タイマ（図示省略）をリセットスタートさせた後（ステップＳ１１）、上述のステップＳ７に戻る。
【００２４】
以下、タッチ操作が行われる毎に（ステップＳ７でＹＥＳ）、タッチ操作の種類に応じて（ステップＳ８）、タッチパッド用ポインタＰＴを移動させる処理（ステップＳ１０）、タッチパッド用ポインタＰＴの位置に表示されているオブジェクトを選択する処理（ステップＳ１３）、タッチパッド用ポインタＰＴの位置に表示されているオブジェクトを実行する処理（ステップＳ１５）のいずれかを行う処理を繰り返す。
【００２５】
一方、タッチ操作が行われなければ（ステップＳ７でＮＯ）、図５のフローに移り、無操作時間タイマはタイムアウトかを調べたり（ステップＳ１６）、タッチパッド領域の終了がユーザ操作や自動的に指示されたかを調べたり（ステップＳ１７）、タッチ表示部５の画面内容の変更（画面切替、画面スクロール）がユーザ操作又は自動的に指示されたかを調べたりする（ステップＳ１８）。ここで、いずれのステップＳ１６、Ｓ１７、Ｓ１８
において“ＮＯ”と判断されたときには、図４のステップＳ７に戻る。
【００２６】
いま、無操作時間タイマがタイムアウトとなったときには（ステップＳ１６でＹＥＳ）、タッチパッド領域ＴＰの割り当てを解除（タッチパッド領域ＴＰを消去）すると共に（ステップＳ１９）、タッチパッド用ポインタＰＴの表示を消去する（ステップＳ２０）。また、タッチパッドの終了が指示されたときには（ステップＳ１７でＹＥＳ）、タッチ表示部５上の表示を消去した後（ステップＳ２１）、タッチパッド領域ＴＰの割り当てを解除（タッチパッド領域ＴＰを消去）すると共に（ステップＳ１９）、タッチパッド用ポインタＰＴの表示を消去する（ステップＳ２０）。その後、図４及び図５のフローから抜ける。また、画面内容の変更が指示されたときには（ステップＳ１８でＹＥＳ）、図４の最初のステップＳ１に戻り、以下、上述の動作を繰り返す。
【００２７】
以上のように、本実施形態において制御部１は、タッチ表示部５内の所定領域にタッチパッド領域ＴＰを割り当てると共にタッチ表示部５内の所定位置にタッチパッド用ポインタを表示させた状態において、タッチパッド領域ＴＰ内へのタッチ操作が行われた場合には、それに応じた処理を実行するが、タッチパッド領域ＴＰ以外のタッチ表示部５へのタッチ操作が行われた場合には、そのタッチ操作を無効とするようにしたので、タッチ表示部５内にタッチパッド領域ＴＰが割り当てられている状態での誤操作を効果的に抑制することができ、片手操作でも使い勝手の良いものとなる。
【００２８】
タッチパッド領域ＴＰの割り当てが指示された際に、タッチ表示部５の現在の表示状態を解析し、その表示状態に応じた所定領域内にタッチパッド領域ＴＰを割り当てるようにしたので、タッチ表示部５の表示状態との関係でタッチパッド領域ＴＰを割り当てることができる。
【００２９】
タッチ表示部５にデータが表示されていない空き領域にタッチパッド領域ＴＰを割り当てるようにしたので、表示内容に影響の無い箇所にタッチパッド領域ＴＰを割り当てることができる。
【００３０】
タッチ表示部５の空き領域のうちその縁部分に存在している空き領域を優先してタッチパッド領域ＴＰを割り当てるようにしたので、操作しやすい箇所にタッチパッド領域ＴＰを割り当てることができる。
【００３１】
タッチ表示部５の空き領域にタッチパッド領域ＴＰを割り当てる場合に、その空き領域の大きさに応じたサイズでタッチパッド領域ＴＰを割り当てるようにしたので、タッチパッド領域ＴＰを空き領域の大きさに対応させることができ、空き領域を有効に使用することができる。
【００３２】
タッチパッド用ポインタＰＴの初期表示位置として、タッチパッド領域ＴＰ内に表示するようにしたので、タッチパッド領域ＴＰとポインタＰＴとの対応関係が明確なものとなる。
【００３３】
タッチパッド領域ＴＰ内へのタッチ操作の種類に応じて、タッチパッド用ポインタＰＴを移動させる処理、ポインタＰＴの位置に表示されているオブジェクトを選択する処理、ポインタＰＴの位置に表示されているオブジェクトを実行する処理を実行するようにしたので、ユーザにあっては、タッチパッド領域ＴＰ内へのタッチ操作の種類を変更するだけで、その種類に応じた処理の実行を指示することができる。
【００３４】
なお、上述した実施形態においては、タッチパッド用ポインタＰＴの初期表示位置として、タッチパッド領域ＴＰ内に表示するようにしたが、タッチパッド領域ＴＰの近傍に表示させるようにしてもよい。この場合、タッチパッド領域ＴＰの近傍に表示させることによりタッチパッド領域ＴＰとポインタＰＴとの対応関係が明確となるほか、タッチパッド領域ＴＰ内に表示させるよりもポインタＰＴの移動量が少なくなる。
【００３５】
また、上述した実施形態においては、タッチ表示部５上で所定のタッチ操作が行われた際にタッチパッド領域ＴＰの起動が指示されたものとしたが、操作部６上の所定の押しボタン式のキーが操作された際にタッチパッド領域ＴＰの起動が指示されたものとしてもよく、ユーザ操作は、タッチ操作、押しボタン操作のいずれであってもよく、更には音声指示などであってもよい。
【００３６】
また、上述した実施形態においては、携帯端末装置としてハンディターミナルに適用した場合を示したが、これに限らず、ＰＤＡ、デジタルカメラ、音楽プレイヤーなどであってもよい。
【００３７】
また、上述した  実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００３８】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
タッチパネル付きのタッチ表示部を備えた携帯端末装置であって、
前記タッチ表示部内の所定領域にタッチパッド領域を割り当てるタッチパッド割当手段と、
前記タッチパッド割当手段によりタッチパッド領域が割り当てられる場合に、前記タッチ表示部の所定位置にタッチパッド用ポインタを表示させるポインタ表示手段と、
前記タッチパッド領域内へのタッチ操作に応じた処理を実行する処理実行手段と、
前記タッチパッド割当手段により前記タッチ表示部内にタッチパッド領域が割り当てられた状態において、前記タッチパッド領域内へのタッチ操作が行われた場合には、そのタッチ操作に応じた処理を実行するが、前記タッチパッド領域以外の前記タッチ表示部へのタッチ操作が行われた場合には、そのタッチ操作を無効とする制御を行うタッチ制御手段と、
を備えたことを特徴とする携帯端末装置である。
（請求項２）
請求項２に記載の発明は、請求項１に記載の携帯端末装置において、
前記タッチパッド割当手段は、前記タッチパッド領域の割り当てが指示された際に、前記タッチ表示部の現在の表示状態を解析し、その表示状態に応じた所定領域内にタッチパッド領域を割り当てる、
ようにしたことを特徴とする携帯端末装置である。
（請求項３）
請求項３に記載の発明は、請求項２に記載の携帯端末装置において、
前記タッチパッド割当手段は、前記タッチ表示部にデータが表示されていない空き領域にタッチパッド領域を割り当てる、
ようにしたことを特徴とする携帯端末装置である。
（請求項４）
請求項４に記載の発明は、請求項３に記載の携帯端末装置において、
前記タッチパッド割当手段は、前記タッチ表示部の空き領域のうちその縁部分に存在している空き領域を優先してタッチパッド領域を割り当てる、
ようにしたことを特徴とする携帯端末装置である。
（請求項５）
請求項５に記載の発明は、請求項３あるいは請求項４に記載の携帯端末装置において、
前記タッチパッド割当手段は、前記タッチ表示部の空き領域にタッチパッド領域を割り当てる場合に、その空き領域の大きさに応じたサイズでタッチパッド領域を割り当てる、
ようにしたことを特徴とする携帯端末装置である。
（請求項６）
請求項６に記載の発明は、請求項１〜請求項５のいずれかに記載の携帯端末装置において、
前記ポインタ表示手段は、タッチパッド用ポインタの初期表示の位置として、前記タッチパッド割当手段により割り当てられたタッチパッド領域内、タッチパッド領域の近傍のいずれかに表示させる、
ようにしたことを特徴とする携帯端末装置である。
（請求項７）
請求項７に記載の発明は、請求項１〜請求項６のいずれかに記載の携帯端末装置において、
前記タッチパッド領域内へのタッチ操作に応じてそのタッチ操作の種類を判別する判別手段を、を更に備え、
前記処理実行手段は、前記判別手段により判別されたタッチ操作の種類に応じた処理として、前記ポインタを移動させる処理、前記ポインタの位置に表示されているオブジェクトを選択する処理、前記ポインタの位置に表示されているオブジェクトを実行する処理のいずれかを行う、
ようにしたことを特徴とする請求項１〜請求項６のいずれかに記載の携帯端末装置である。
（請求項８）
請求項８に記載の発明は、
コンピュータに対して、
タッチ表示部内の所定領域にタッチパッド領域を割り当てる機能と、
前記タッチパッド領域が割り当てられる場合に、前記タッチ表示部の所定位置にタッチパッド用ポインタを表示させる機能と、
前記タッチパッド領域内へのタッチ操作に応じた処理を実行する機能と、
前記タッチ表示部内にタッチパッド領域が割り当てられた状態において、前記タッチパッド領域内へのタッチ操作が行われた場合には、そのタッチ操作に応じた処理を実行するが、前記タッチパッド領域以外の前記タッチ表示部へのタッチ操作が行われた場合には、そのタッチ操作を無効とする制御を行う機能と、
を実現させるためのプログラムである。
【符号の説明】
【００３９】
１  制御部
２  電源部
３  記憶部
５  タッチ表示部
６  操作部
ＴＰ  タッチパッド領域
ＰＴ  タッチパッド用ポインタ
【図１】
0005397707.tif 000002
【図２】
0005397707.tif 000003
【図３】
0005397707.tif 000004
【図４】
0005397707.tif 000005
【図５】
0005397707.tif 000006